(57)【要約】      （修正有）【課題】伸縮自在で、かつ除電機能はもとより、名前や電話番号、マークなど記せる表示スペースを設けたコイルキーホルダーを提供する。【解決手段】コイルキーホルダー１は、内部に細紐を内包する合成樹脂製とし、約８倍くらい伸長するコイル紐２の両端部に、一部が開閉自在とする留め具３とするナス環４を止め金具５を持ってコイル紐２の両端部に取り付けたコイル紐２を形成し、そのコイル紐２の一方側に、合成樹脂板又は金属板等による楕円状の基板６表面に静電気を放電する除電素材７を貼り付けるとともに、裏面には会社名や電話、アドレス、マーク等の情報表示を記せる表示スペースを設けた除電タグ１０を取り付けて成る静電気を除去するコイルキーホルダー１を構成する。【選択図】図１
0003156967.tif 000002
【実用新案登録請求の範囲】
【請求項１】
静電気を除去するキーホルダーであって、前記するキーホルダーは、コイル紐の両端部に開閉自在とする留め具を取り付け、該留め具の一方に、静電気を放電する除電素材を設けた除電タグを取り付けて成る構成を特徴とする静電気除去コイルキーホルダー。
【請求項２】
前記するコイル紐が、丈夫な細紐を内包して成る請求項１記載の静電気除去コイルキーホルダー。
【請求項３】
前記する除電タグの裏面に、文字やマークを記せる表示スペースを設けて成る請求項１又は請求項２に記載する静電気除去コイルキーホルダー。
【考案の詳細な説明】
【技術分野】
【０００１】  本考案は、乾燥季節における静電気の除去を効果的に成し、かつ機能的なコイルキーホルダーに関する。
【背景技術】
【０００２】  従来より、秋から早春期にかけての空気の乾燥季節は、生活上のあらゆる所で発生する静電気で悩まされることが多いため、室内においては湿度を高めたり、その他個々に工夫したり様々な除電情報を得て対処している。【０００３】  また、静電気ショックを防止するために、放電可能な板素材で成る本体に夜光シートを取り付けた静電気ショックを防止可能な夜光性キーホルダーの技術がある。（例えば、特許文献１参照）
【特許文献１】登録実用新案公報第３０４８７４６号
【０００４】
【考案の概要】
【考案が解決しようとする課題】
【０００５】  前記するように乾燥期には日頃から気を付けていても静電気に悩まされることが多いが、その対処には湿度を高めたり、ドアノブに触れたり自動車のカギ穴にキーを入れる際は放電グッズ等を用いているが、屋外の場合は常に放電グッズを持ち歩く必要があるなど面倒であった。【０００６】  また登録実用新案公報第３０４８７４６号による静電気ショックを防止可能な夜光性キーホルダーは、放電素材で成る本体板に取り付け部材を設けた前記本体板に蓄光シートを設けたキーホルダーであり、除電作用と夜光性を有するものである。しかし取り付け部材に放電素材の板に蓄光シートを貼り付けただけの固定キーホルダーであるため、鍵を取り付けたキーホルダーは小さいのでポケットに入れて携行する必要があるが、うっかりすると出し入れする際に落として紛失する恐れもある。【０００７】  またズボンのベルト通し輪や身体の一部に取り付けた場合は、一々ベルト通し輪から取り外したり取り付ける面倒があり、仮に取り外さないで使用できるようにするには、別の延長紐等を介在しなければ使えないなど、鍵を使用するにも除電するにも大変使いにくい静電気ショックを防止可能な夜光性キーホルダーの技術である。
【課題を解決するための手段】
【０００８】  本考案は、前記するような従来の不便や欠点を解消するために、請求項１においては、静電気を除去するキーホルダーとして、前記するキーホルダーはコイル紐の両端部に開閉自在とする留め具を取り付け、該留め具の一方に、静電気を放電する除電素材を設けた除電タグを取り付けることで、鍵を取り付けて使用する際には自在に引き伸ばせ、かつ鍵穴に差し込む際は軽く触れるだけで瞬時に静電気を放電できる除電タグを設けた静電気除去コイルキーホルダーとする。【０００９】  請求項２においては、前記するコイル紐が、丈夫な細紐を内包することで、強く引き伸ばしても切れにくい静電気除去コイルキーホルダーとする。【００１０】  請求項３においては、前記する除電タグの裏面に、文字やマークを記せる表示スペースを設けることで、名前や電話、アドレス等を表示し、かつ宣伝媒体としても活用できる静電気除去コイルキーホルダーとする。
【考案の効果】
【００１１】  本考案によるコイルキーホルダーに採用したコイル紐は、伸長率は約８倍ときわめて大きいので、一方をズボンのベルト通し輪に取り付けたままでも、少し高い位置のドアノブや離れた車両のカギ穴でも自在に伸ばして使いやすい。【００１２】  さらに、コイル紐はトラックのアイドリングストップのために、車両から離れる時にキーを抜いてエンジンを止めて燃費と二酸化炭素削減を目的とするために開発したものとして、内部に細くて丈夫な紐を内包した特徴あるコイル紐であるので、目一杯引き伸ばした際は１０キログラムでも切れない上、伸び弛みもきわめて少ない。【００１３】  また、鍵を取り付けた側には除電作用を得る除電タグをセットで備えているので、ドアノブや車両のカギ穴に差し入れる前に軽くタッチさせるだけで瞬時に除電を行えるとともに、伸縮自在のコイル紐で衣服の一部に繋ぐことができるため、うっかり鍵を差し込んだまま離れてしまう恐れを解消できるコイルキーホルダーとなる。【００１４】  さらに、コイル紐の引き延ばし度はきわめて大きくかつ丈夫であるので、例えば、緊急時における自転車の荷物固定ロープとして用いたり、和式トイレでの女性の和服やパンタロンの裾保持紐としたり、遊園地における幼児との連結紐としたり、自動車から離れる際の鍵の抜き忘れ防止など、あらゆる人の多様な使い方にも柔軟に対応できるコイルキーホルダーとなる。【００１５】  加えて、鍵とともに取り付けた放電作用を得る除電タグの裏面は、プリントや刻印、シール貼りなどによる名前や電話番号、アドレス、マークなどを記せる表示スペースを設けているので鍵を紛失した際は見つけ易いし、また商店や会社名を表示した場合は宣伝媒体としても活用できるなど、従来には見られない機能的にして多様な使い方ができる利便性の高い静電気除去コイルキーホルダーを広く、かつ安価に提供できる。
【図面の簡単な説明】
【００１６】
【図１】本考案のコイルキーホルダーの実施形態を示す斜視図である。
【図２】本考案のコイルキーホルダーの実施形態における除電タグの表面を示す拡大斜視図である。
【図３】本考案のコイルキーホルダーの実施形態における除電タグの裏面を示す拡大斜視図である。
【考案を実施するための形態】
【００１７】  本考案によるコイルキーホルダーの実施形態を、図１に示す斜視図と図２に示す除電タグの拡大表面図及び図の３に示す除電タグの拡大裏面図で説明する。
【００１８】  本考案におけるコイルキーホルダー１の実施形態は、内部に細紐を内包する合成樹脂製で、かつ伸長率は約８倍くらい伸びるコイル紐２とし、さらにそのコイル紐２の両端部には、ズボンのベルト通し輪や衣服の一部に取り付けるための留め具３として、前記コイル紐２の端部を折り返してから、開閉自在とするナス環４を止め金具５を持って前記コイル紐２の両端部に取り付ける。
【００１９】  次に、以上のように形成したコイル紐２の一方側には、合成樹脂板又は金属板等による楕円状の基板６表面に静電気放電作用を得るシートまたは薄手のマット状の除電素材７を貼り付けるとともに、その裏面には会社名や電話、アドレス等の文字やマークを記せる情報表示８を記せる表示スペース９を設けた除電タグ１０を取り付けて成る静電気を除去するコイルキーホルダー１を構成する。
【００２０】  本考案の実施形態におけるコイルキーホルダー１は、約８倍くらい伸長するきわめて伸縮性の高いコイル紐２とするので引き伸ばせばロープ様に使え、かつ内部には細紐を内包しているので１０キログラム以上の引っ張り強度を有する。さらにその両端部にはナス環４等の留め具３を取り付けているが、それとともに鍵を取り付ける側には、静電気を放電する除電素材７を貼り付けた除電タグ１０をセットで取り付けている。
【００２１】  加えて、その除電タグ１０の裏面には、会社名や電話、アドレス、マーク等を記せる表示スペース９を設けた除電タグ１０を備えているので、鍵穴に差し込む際や電気機器のボタンを押す前に軽く除電素材６面をタッチさせることで静電気を瞬時に放電し除去できる。また除電タグ１０の裏面は表示スペース９を有するので、例えば、会社名、電話、アドレス等の文字やマークを記せる情報表示８を行えるコイルキーホルダー１となる。
【００２２】  本考案におけるコイル紐２は細紐を内包し、かつ、きわめて伸縮性が高いものが好ましいが、単に合成樹脂製のコイル紐でもよいし金属製のコイル紐でも差し支えない。また両端部の留め具３はナス環４を採用しているが、開閉できる留め具３であればどんなタイプでも差し支えない。加えて、静電気を放電させる除電素材７はシートかマットタイプであるがいずれでもよい。また除電タグ１０の形状も円形や角型、立体でもよく、いずれも特に限定されるものではない。
【符号の説明】
【００２３】１  コイルキーホルダー
２  コイル紐
３  留め具
４  ナス環
５  止め金具
６  基板
７  徐電素材
８  情報表示
９  表示スペース
１０  除電タグ
【図１】
0003156967.tif 000003
【図２】
0003156967.tif 000004
【図３】
0003156967.tif 000005